(57)【要約】【課題】電子部品（チップ）の複数の外面に同時に電極を形成し工程数を減らす。【解決手段】１以上のスペーサ板を含むと共にチップを収容可能なキャビティを有するマスク基体と、マスク基体の上下面に配置され、チップの外面に形成すべき電極の形状に対応した形状の成膜開口を有し、この成膜開口を通じてチップの外面に選択的に成膜を行うマスク板とを備えるマスク装置で、キャビティは、内部に収容したチップの周囲を取り囲めるようチップの成膜状態における高さ寸法と略同一の深さ寸法を有し、その内面に成膜開口に連通する成膜溝を備え、これによりチップの成膜状態における上下面と同時にチップ周面にも電極を形成可能とした。【選択図】図２
2008112761.tif 000002
【特許請求の範囲】
【請求項１】
１枚以上のスペーサ板を含むと共に電子部品を収容可能なキャビティを有するマスク基体と、
このマスク基体の上面および下面のいずれか一方または双方に配置され、前記電子部品の外表面に形成すべき外部構造体の形状に対応した形状の成膜開口を有し、この成膜開口を通じて前記電子部品の外表面に選択的に成膜を行い前記外部構造体を形成することを可能とするマスク板と、
を備えるマスク装置であって、
前記キャビティは、
内部に収容した前記電子部品の周囲を取り囲むことが出来るよう前記電子部品の成膜状態における高さ寸法と略同一の深さ寸法を有するとともに、
その内面に前記成膜開口に連通する成膜溝を備え、これにより前記電子部品の成膜状態における上面および下面のいずれか一方または双方と同時に当該電子部品の成膜状態における周面にも前記外部構造体を形成可能とした
ことを特徴とするマスク装置。
【請求項２】
前記マスク基体は、前記キャビティを形成するキャビティ形成部を有しかつ当該マスク基体の厚さ方向に積層される、第一スペーサ板および第二スペーサ板を少なくとも含む２枚以上のスペーサ板を備え、
これら２枚以上のスペーサ板のキャビティ形成部によって前記キャビティが形成されるとともに、これらキャビティ形成部の１つ以上が前記成膜溝を備え、
前記第一スペーサ板および第二スペーサ板のうちのいずれか一方は、前記電子部品をキャビティ内で水平方向について位置決めするときに基準となりかつ互いに交叉して基準角部を形成する第一基準内面と第二基準内面とを前記キャビティ形成部が有し、かつ、前記マスク板との間で相対位置が固定された基準スペーサ板とされ、
前記第一スペーサ板および第二スペーサ板のうちの他方は、水平方向に摺動可能に配置されて前記キャビティ内に収容した電子部品をキャビティ形成部で押し進めることによりキャビティ内で水平に移動させる片寄スペーサ板とされ、
当該片寄スペーサ板を、キャビティ中心部から前記基準角部に向う方向へ移動させることにより、前記電子部品を前記第一基準内面と第二基準内面とによって形成された前記基準角部に押し付け、当該電子部品を前記マスク板に対して位置決め可能とした
請求項１に記載のマスク装置。
【請求項３】
前記成膜溝は、前記電子部品の成膜状態における周面に形成すべき外部構造体の長さに対応した深さを有する
請求項１または２に記載のマスク装置。
【請求項４】
前記マスク基体の上面および下面に前記マスク板を備え、
前記成膜溝は、当該マスク基体の上面および下面に配した両マスク板の各成膜開口に連通して前記マスク基体を貫通する溝である
請求項１または２に記載のマスク装置。
【請求項５】
前記第一スペーサ板および前記第二スペーサ板は共に、
前記マスク基体の厚さ方向に重ねられる板状のスペーサ本体部と、
当該スペーサ本体部を貫通する貫通開口と、
を備え、かつ
前記キャビティ形成部が前記貫通開口の形成領域内に張り出すように配置されることにより、前記貫通開口内に前記キャビティが形成される
請求項１から４のいずれか一項に記載のマスク装置。
【請求項６】
前記第一スペーサ板および前記第二スペーサ板は共に、
前記キャビティ形成部を２以上備え、
これら２以上のキャビティ形成部が同一の前記貫通開口の形成領域内に張り出すように配置されることにより、前記貫通開口内に２以上の前記キャビティが形成される
請求項５に記載のマスク装置。
【請求項７】
前記貫通開口の形成領域内に張り出してキャビティ内に収容された電子部品の周面に当接する前記キャビティ形成部の側面が、前記第一スペーサ板と前記第二スペーサ板とについて、略同一の高さ寸法を有し、かつ、略同一の高さ位置に配置される
請求項５または６に記載のマスク装置。
【請求項８】
前記マスク板および前記スペーサ板を、少なくとも一部に磁石を備えた磁石板、または磁石によって吸引可能な磁性体を少なくとも一部に備えた磁性体板のいずれかにより形成した
請求項１から７のいずれか一項に記載のマスク装置。
【請求項９】
磁性体板と磁石板とが交互に積層されるように前記マスク板および前記スペーサ板を、磁石板または磁性体板のいずれかにより形成した
請求項１から８のいずれか一項に記載のマスク装置。
【請求項１０】
前記磁石を覆う被膜をさらに備えた
請求項８または９に記載のマスク装置。
【請求項１１】
１枚以上のスペーサ板を含みかつ電子部品を収容可能なキャビティを備えるマスク基体の当該キャビティ内に電子部品を収容する電子部品装填工程と、
前記電子部品の外表面に形成すべき外部構造体の形状に対応した形状の成膜開口を有するマスク板を前記マスク基体の上面および下面のいずれか一方または双方に配置するマスク設置工程と、
前記成膜開口を通じて前記電子部品の外表面に選択的に成膜を行うことにより前記外部構造体を形成する成膜工程と、
を含む電子部品の製造方法であって、
前記キャビティは、内部に収容した前記電子部品の周囲を取り囲むことが出来るよう前記電子部品の成膜状態における高さ寸法と略同一の深さ寸法を有するとともに、その内面に前記成膜開口に連通する成膜溝を備え、
前記成膜工程において、前記外部構造体を構成する材料を前記成膜開口を通じて前記キャビティ内に供給することにより、当該キャビティ内に収容された電子部品の上面および下面のいずれか一方または双方と共に当該電子部品の周面に前記外部構造体を同時に形成する
ことを特徴とする電子部品の製造方法。
【請求項１２】
前記電子部品装填工程と前記成膜工程との間に、
前記キャビティ内に収容した電子部品をキャビティ内で水平に移動させることにより前記マスク板に対して位置決めする部品位置決め工程をさらに含み、
前記マスク基体は、前記キャビティを形成するキャビティ形成部を有しかつ当該マスク基体の厚さ方向に積層される、第一スペーサ板および第二スペーサ板を少なくとも含む２枚以上のスペーサ板を備え、これら２枚以上のスペーサ板のキャビティ形成部によって前記キャビティが形成されるとともに、これらキャビティ形成部の少なくとも１つ以上が前記成膜溝を備え、
前記第一スペーサ板および第二スペーサ板のうちのいずれか一方を、前記電子部品をキャビティ内で水平方向について位置決めするときに基準となりかつ互いに交叉して基準角部を形成する第一基準内面と第二基準内面とを前記キャビティ形成部が有し、かつ、前記マスク板との間で相対位置が固定された基準スペーサ板とし、
前記第一スペーサ板および第二スペーサ板のうちの他方を、水平方向に摺動可能に配置されて前記キャビティ内に収容した電子部品をキャビティ形成部で押し進めることによりキャビティ内で水平に移動させる片寄スペーサ板とし、
前記部品位置決め工程において、前記片寄スペーサ板を、キャビティ中心部から前記基準角部に向う方向へ移動させることにより、前記電子部品を前記第一基準内面と第二基準内面とによって形成された前記基準角部に押し付け、当該電子部品を前記マスク板に対して位置決めする
請求項１１に記載の電子部品の製造方法。
【請求項１３】
前記マスク板および前記スペーサ板として、少なくとも一部に磁石を備えた磁石板、または磁石によって吸引可能な磁性体を少なくとも一部に備えた磁性体板のいずれかにより形成された板を使用する
請求項１１または１２に記載の電子部品の製造方法。
【請求項１４】
前記成膜工程では、気相成膜法、インクジェット法、ペースト印刷法および転写法のいずれかにより前記電子部品の外表面に成膜を行う
請求項１１から１３のいずれか一項に記載の電子部品の製造方法。
【請求項１５】
１以上の電気的機能素子部を含み、かつ、互いに隣接して交差する２以上の外表面を有する電子部品本体と、
前記外表面のうちの少なくとも２つの外表面に亘って連続するように前記電子部品本体の外表面に備えられた外部構造体と、
を有する電子部品であって、
前記外部構造体が、前記互いに隣接した外表面が交差する角部において界面を有さない
ことを特徴とする電子部品。
【発明の詳細な説明】
【技術分野】
【０００１】
本発明は、マスク装置および電子部品の製造方法に係り、特に、チップ状電子部品の外表面に端子電極等の外部構造体を形成するためのマスキング技術に関する。
【背景技術】
【０００２】
チップコンデンサやチップインダクタ、チップ抵抗器などの各種の個別部品、あるいは複数の能動・受動素子を組み合わせた様々な電子デバイスなどの電子部品が今日提供されているが、これらいずれの電子部品にあっても、外部と電気的・機械的な接続を行い、配線基板への実装を可能とするために当該電子部品には端子電極が必要となる。
【０００３】
かかる端子電極は、例えば、スパッタ等の気相成膜法によって下地電極を形成し、この下地電極の上に電極の本体層となる主導体層をめっき成長させることにより形成することが出来る。下地電極を形成するには、電極を形成すべき部品表面に選択的に成膜を行うためにマスク装置が使用される。このマスク装置は、一般に、チップ状にダイシングした個々の電子部品を保持するマスク基体と、形成すべき電極形状に対応した成膜開口を備えたマスク板とを備えており、マスク基体のキャビティ内に加工面を上にしてチップ状の電子部品（以下、単に、チップと言うことがある）を収容し、キャビティ（マスク基体）の表面にマスク板を被せて成膜処理を行う。
【０００４】
また、気相成膜法によらず、導電性ペーストを塗布するペースト印刷法や、インクジェット法、転写法などの成膜方法も電極形成に広く利用されている。
【０００５】
さらに、外部接続用の端子電極に限らず、例えば当該チップに別の素子を搭載するための接続パッドや、チップ外表面に配される配線、更には導電体のみならず、例えば半導体や金属板により構成された導電性チップの外表面に配線を行うため選択的に設けられる絶縁膜など、チップの外表面には様々な膜状の構造物（外部構造体）が設けられることがある。
【０００６】
また、マスク装置を開示するものとして下記文献がある。
【特許文献１】特開平４−１３８５８号公報
【発明の開示】
【発明が解決しようとする課題】
【０００７】
ところで、チップの外表面に設けられる端子電極等の外部構造体は、チップの天面（表面）、底面（裏面）および周面（端面および側面）のうちの複数の面に亘って連続するように形成する必要がある場合が少なくない。例えば、チップの天面電極と底面電極とをチップの周面に配する電極を介して接続したり、チップの内部配線層から周面に電極を引き出してこれを天面や底面の電極に接続するような場合である。
【０００８】
従来、このような複数面に亘る電極を形成する場合には、各面毎の成膜処理が必要である。例えば、天面電極と底面電極とを接続する電極をチップの両端部に形成する場合（後述の図１参照）には、（１）天面、（２）底面、（３）一方の端面、および（４）他方の端面、というように４回の成膜処理が必要となる。また、同様の接続電極をチップの両端部と両側部（４周面部すべて）に形成する場合（後述の図８参照）には、（１）天面、（２）底面、（３）端面（短手面）の一方、（４）端面（短手面）の他方、（５）側面（長手面）の一方、および（６）側面（長手面）の他方、という計６回の成膜処理が必要である。
【０００９】
しかも、これら各面に対する成膜処理は、チップを特定の姿勢・向きで保持するマスク基体（スペーサ板）と、マスク基体の表面に固定される特定の（形成すべき電極に対応した）パターンマスクとが個別に必要であり、各面ごとにこれら特定のマスク基体とパターンマスクとを組み上げてチップを装填し直す作業は、煩雑で時間を要する。
【００１０】
一方、このような工程の煩雑さを回避するため、一度の成膜処理によって複数の面に（例えば側面と同時に天面および底面にも）成膜を行うことも不可能ではない。例えば、チップのエッジを丸める（面取りする）加工を予めチップに施しておくのである。チップの角（エッジ）が丸まっていることで、一つの面（例えば側面）に導電ペーストを塗布するときに、丸まったエッジに沿って他の面（例えば天面、底面）へもペーストが回り込むこととなり、当該他の面へも同時にペーストを塗布することが可能となる。
【００１１】
ところが、チップのエッジを精度良く均一に丸めることは実際には困難で、丸みのばらつきによって、あるいはペースト塗布時の圧力やペーストの粘度のばらつきによってエッジ部分を乗り越えて他面へ回り込むペーストの量を制御することは難しく、回り込みを利用して形成される他面の電極は、寸法精度が格段に劣ったものとなってしまう難がある。
【００１２】
他方、かかる成膜工程の煩雑さだけでなく、幾度にも亘り成膜工程を繰り返すことは、電極自体の品質、具体的には、機械的・電気的接合強度や、寸法・位置精度、電気特性（電位抵抗）の点からも好ましいことではない。
【００１３】
例えば、導電性ペーストを使用して電極を形成する場合、ペースト塗布後の乾燥工程も何度も繰り返されることとなるから、この間にペーストが未だ塗布されていない他の内部配線の露出面が酸化され、あるいは有機物等の不純物が付着して接合面が汚染されることにより接合部の内部抵抗が増大し、また電気的・機械的な接合強度が低下するおそれがある。スパッタ等の気相成膜法により下地電極を形成する場合にも、各外表面に対する成膜工程を順に時間をおいて行わなければならないことには変わりは無く、１つの面への処理から次の面への処理の間に、露出した接合面が劣化する同様の問題が生じ得る。
【００１４】
また、チップの天面・底面に続いて側面の下地電極を形成する場合には、チップのエッジ付近（天面・底面と側面との境界部／チップの角）では、側面電極が天面電極ないし底面電極を覆う形となるから、下地電極が当該エッジ部分で盛り上がり、この上に電極の本体層を例えば電解めっきにより形成する場合に、エッジ部分に電界が集中して電極膜が局所的に成長し、チップのエッジ部分に電極膜の突出部が出来て、電極の寸法誤差が生じるだけでなく、この突起部がハンドリング中に引っ掛けられて電極膜が剥離損傷を受けるなどのアクシデントが生じるおそれもある。
【００１５】
さらに、成膜時におけるチップの位置決め精度の問題もある。具体的には、成膜時に使用される上記マスク（成膜開口）やキャビティを備えるマスク基体は、単純に１枚の板材によって構成されることは少なく、複数枚の薄い金属板を重ねた構造が採られるのが通常である。その理由は、マスク板やマスク基体は、一般にステンレス板等の金属板により作製され、成膜開口やキャビティ開口はエッチングにより形成されるが、エッチングによる開口の形状精度は、板厚が厚いと十分な精度が得られず、板厚を薄くするほど良好な精度が得られるからである。
【００１６】
ところが、マスク板やマスク基体（これらを構成する金属板）が薄くなると、スパッタ等の成膜工程における熱でこれらは変形しやすくなり、繰返し使用するうちにマスク板やマスク基体を構成する各金属板が反ったり波打つなどしてそれらの間に隙間ができ、この隙間に電子部品が入り込んでキャビティ内に正確に電子部品を位置決めすることが出来ない事態が生じる。このため、形成される電極の位置や形状精度が低下してしまう。
【００１７】
また特に近年、電子機器の小型化とともにこれらの使用される電子部品の小型化・低背化の進展が著しく、電子部品に備えられる端子電極に対する精度要求（形状的な正確さ並びに形成位置の精度）が厳しくなる一方で、部品自体が極めて小さく薄くなる傾向にあり、今後も小型・低背化がさらに進むと考えられることから、このような従来のマスク装置における問題が一層顕在化するおそれがある。
【００１８】
一方、このようなマスクの間隙を無くすためにマスクを貫通する多数のネジを設け、これらでマスク全体を締め付けることによって上記のような金属板の反りやうねりを抑えることが従来から行われている。しかしながら、これら多数のネジを逐一着脱することは煩雑で作業性が悪く、生産性の点で好ましくない。
【００１９】
他方、上記特許文献１の発明では、このようなネジ留め作業を省くため、マスク装置に磁石を設けて問題の解決を図るものの、磁石を設けるスペースが必要となってマスク１枚あたりに設けられるキャビティ数（１回あたりの電子部品の処理個数）は減少せざるを得ず生産性が低下するうえ、磁石は比較的脆く欠けやすいから、何度も脱着を繰り返すうちに磁石の破片が製品（電子部品）内に混入し汚染源となるおそれもある。
【００２０】
さらに、この特許文献１の装置では、磁石２２（マグネット保持板２０ｂ）と、これにより吸引される磁性体（スペーサ２０ｄおよび上部マスク板２０ｅ）との間に非磁性体である下部マスク板２０ｃが介在され距離が離れているから、磁石２２のみによってはマスクやスペーサの変形（反り・うねり）に対する矯正力が十分であるとは言えない。
【００２１】
また、量産品である電子部品に対し上記のように電極を形成する場合には、生産性を高めるために１つのマスク装置（１回の端子成膜工程）について例えば数千個のキャビティを設けて同時に成膜処理されることもあるが、これら多数のキャビティの各々にチップを１つずつ、より短時間に効率よく収納してマスクに対して正確に（高確率に）位置決めすることも求められる。
【００２２】
したがって、本発明の第一の目的は、電子部品の外表面に設けられる外部構造体について、複数の面に同時に当該構造体を形成可能とすることにより製造工程数を減らす点にある。第二に、機械的・電気的に良好な接合状態を得ることにある。さらに第三に、マスク装置のキャビティ内に電子部品を容易に収容し、確実に位置決めしてより正確な位置・形状の電極を形成できるようにすることにある。
【課題を解決するための手段】
【００２３】
前記課題を解決し目的を達成するため、本発明に係るマスク装置は、１枚以上のスペーサ板を含むと共に電子部品を収容可能なキャビティを有するマスク基体と、このマスク基体の上面および下面のいずれか一方または双方に配置され、前記電子部品の外表面に形成すべき外部構造体の形状に対応した形状の成膜開口を有し、この成膜開口を通じて前記電子部品の外表面に選択的に成膜を行い前記外部構造体を形成することを可能とするマスク板とを備えるマスク装置であって、前記キャビティは、内部に収容した前記電子部品の周囲を取り囲むことが出来るよう前記電子部品の成膜状態における高さ寸法と略同一の深さ寸法を有するとともに、その内面に前記成膜開口に連通する成膜溝を備え、これにより前記電子部品の成膜状態における上面および下面のいずれか一方または双方と同時に当該電子部品の成膜状態における周面にも前記外部構造体を形成可能とした。
【００２４】
本発明のマスク装置では、マスク基体のキャビティ内に加工対象（成膜対象）となるチップ（電子部品）を収容し、これにマスク板（パターンマスク）を被せて当該チップの表面（おもて面又は天面又は上面、裏面又は底面又は下面、周面又は側面・端面などチップの外面のすべてを含む。以下同様）に選択的に成膜を行い、電極を形成する。マスクには、形成すべき電極形状に対応する開口（成膜開口）を形成してあり、この成膜開口を通じて電極を構成する薄膜を形成する。成膜を行う具体的な方法としては、例えばスパッタ法、蒸着法または気相成長法（ＣＶＤ法）等の気相成膜法（乾式成膜法）やインクジェット法、ペースト印刷法、転写法等によれば良い。
【００２５】
マスク基体は１枚以上のスペーサ板を備え、このスペーサ板によって形成されるキャビティの深さが、電子部品の成膜状態における高さ寸法と略同一の深さ寸法を有する。言い換えれば、本発明のマスク装置では、マスク基体を構成する１枚以上のスペーサ板全体の厚さ（高さ）が、電子部品の成膜状態における高さに略一致するように１枚または２枚以上のスペーサ板を積層する。
【００２６】
尚、マスク板の成膜開口を通じて成膜を行うために電子部品は上記キャビティ内に収容されるが、上記「電子部品の成膜状態における高さ寸法」とは、このキャビティへの収容状態における電子部品の高さ寸法を意味する。すなわち、当該「電子部品の成膜状態における高さ寸法」は、必ずしも電子部品の実装状態における高さを言うものではなく、電子部品の長手方向の長さであったり、短手方向の長さ（幅）であったり、あるいは厚さを意味する場合がある。
【００２７】
キャビティの内面には、上記マスク板の成膜開口に連通する成膜溝を備える。電子部品の外表面に形成すべき外部構造体を構成する成膜材料は、マスク板の成膜開口を通じてチップの表面（マスク板に対向する面）にまず供給されるが、その後、成膜開口と連通する成膜溝内に侵入し、チップの周面（当該成膜溝が配置されているキャビティ内面に当接している面）にも供給される。これにより、マスク板の対向面だけでなく、チップの周面にも同時に外部構造体が形成されることとなる。成膜溝は、当該チップ周面に形成すべき外部構造体の形状に対応した形状としておけば良い。これによりチップ周面にも、前に述べたような成膜材料の回り込みを単に利用した場合と比較して、正確な位置、寸法および形状の外部構造体を形成することが出来る。
【００２８】
本発明において「外部構造体」とは、電子部品の外表面に形成される膜状の構造物を言う。典型的には、端子電極や接続電極（例えば外部接続電極、バンプ、ポストその他を含む）、配線、接続パッド（フリップチップボンディング用パッド、ワイヤーボンディング用パッド等）、ランド等の電極ないし導電体であるが、必ずしもこれらに限られず、絶縁膜のような他の機能膜も含まれる。例えば、前述のように半導体や金属板により構成された導電性チップの外表面に配線を行うため選択的に設けられる絶縁膜など、チップの外表面には、様々な膜状の構造物（外部構造体）が設けられることがあるが、本発明はこれらチップの外面に形成される構造物を含む。要は、パターンマスクを介して電子部品の外面に供給される成膜材料によって形成される構造体に対し本発明は広く適用が可能である。
【００２９】
また、本発明の特徴の一つは、チップの上下面（又は上下面のいずれか一方）と共に周面にも同時に外部構造体を形成できる点にあるが、この場合の「同時」とは、時間的な完全な同時性を意味するものではない。すなわち、成膜材料はチップのマスク板との対向面（上面又は下面）まず到達し膜成長し、周面の膜成長は上下面に比べて通常遅くなるが、このような状態も本発明に言う「同時」である。要は、当該電子部品をマスク装置から取り出すことなく、あるいはマスク装置を分解することなく、１回の成膜操作で「一緒に」という意味である。
【００３０】
さらに、「上下方向」ないし「垂直方向」とは、マスク板又はマスク基体の厚さ方向（マスク表面に対する法線方向）を、「水平方向」とは、マスク表面に平行な方向を意味する。
【００３１】
また、本発明に言う「電子部品」はその種類を問わず、個別部品（ディスクリート部品）またはチップ部品（例えばチップコンデンサ、チップインダクタ、チップ抵抗器、チップサーミスタ、チップバリスタ等）と、複数の電気素子（能動素子や受動素子）を組み合わせた電子デバイス（例えばフィルタやデュプレクサ、パワーアンプモジュール、高周波重畳モジュール、アイソレータ、センサ、アクチュエータ、コネクタその他の各種デバイス）との双方が含まれる。
【００３２】
外部構造体を形成する位置についても特に問わず、チップの表（おもて）面、裏面または周面（側面又は端面）のいずれであっても良く、これら面の内における外部構造体の形成位置や形状、数についても様々であって良く、後述の図面に示した例に限定されない。
【００３３】
さらに、後に述べる実施形態では、本発明に基づくマスク装置を使用して下地電極（例えばＣｒ膜やＣｕ膜等）を形成し、その上に主導体層（電極本体）をめっき成長させて端子電極を形成する電極構造を想定しているが、例えば主導体層や電極の表面に設けられることがある表面層（はんだ濡れ性を高める接合層（例えばＳｎ膜等）やこれとＣｕ等の主導体層との接合性を高める中間層（例えばＮｉ膜等）など）を、あるいは電極のすべてを本発明のマスク装置を使用して形成するようにしても良い。
【００３４】
上記マスク装置では、マスク基体が、キャビティを形成するキャビティ形成部を有しかつ当該マスク基体の厚さ方向に積層される、第一スペーサ板および第二スペーサ板を少なくとも含む２枚以上のスペーサ板を備え、これら２枚以上のスペーサ板のキャビティ形成部によって前記キャビティが形成されるとともに、これらキャビティ形成部の１つ以上が前記成膜溝を備え、第一スペーサ板および第二スペーサ板のうちのいずれか一方は、電子部品をキャビティ内で水平方向について位置決めするときに基準となりかつ互いに交叉して基準角部を形成する第一基準内面と第二基準内面とを前記キャビティ形成部が有し、かつ、マスク板との間で相対位置が固定された基準スペーサ板とされ、第一スペーサ板および第二スペーサ板のうちの他方は、水平方向に摺動可能に配置されてキャビティ内に収容した電子部品をキャビティ形成部で押し進めることによりキャビティ内で水平に移動させる片寄スペーサ板とされ、この片寄スペーサ板を、キャビティ中心部から前記基準角部に向う方向へ移動させることにより、電子部品を第一基準内面と第二基準内面とによって形成された基準角部に押し付け、電子部品をマスク板に対して位置決め可能としても良い。
【００３５】
このような装置構造とすれば、チップの装填時には、キャビティの開口を比較的大きく広げてこの中にチップを容易に収納するとともに、キャビティへの収納後には、チップをマスク板に対して確実に位置決めして正確な成膜を行うことが可能となる。
【００３６】
具体的には、マスク基体を、キャビティを形成するキャビティ形成部を有しかつマスク基体の厚さ方向に積層される、第一スペーサ板および第二スペーサ板を少なくとも含む２枚以上のスペーサ板を含むものとする。そして、これら第一スペーサ板および第二スペーサ板のうちのいずれか一方（例えば第一スペーサ板）を基準スペーサ板とし、成膜開口を備えたマスク板と間で相対位置を固定する。この固定構造は特に問わない。例えば、マスク板と第一スペーサ板とを貫通する複数（少なくとも２本）のボルトや棒状部材（例えば位置決めピン）を設ければ、水平方向の相対移動を阻止することが出来る。
【００３７】
各スペーサ板は、キャビティを形成するキャビティ形成部を備えており、これらスペーサ板のうち基準スペーサ板（例えば第一スペーサ板）は、そのキャビティ形成部に、互いに交叉して基準角部を形成する第一基準内面と第二基準内面とを有する。これらの内面によって画成される基準角部は、マスク板（成膜開口）との位置基準となるもので、この基準角部に片寄スペーサ板（後に述べる）によってチップを押し付けることで成膜開口に対して当該チップが正確に配置されることとなる。
【００３８】
一方、第一スペーサ板および第二スペーサ板のうちの他方（例えば第二スペーサ板）は、片寄スペーサ板とする。この片寄スペーサ板は、マスク板および上記基準スペーサ板に対して相対摺動可能に重ね合わせてある。また、各スペーサ板のキャビティ形成部によって形成されるキャビティは、チップを受け入れるときの状態（片寄スペーサを未だ水平移動させていないチップ位置決め前の状態／以下、この片寄スペーサの位置を「第一水平位置」と言う）では、チップの水平断面より大きく、したがって当該キャビティ内にチップを容易に収容することが出来る。
【００３９】
尚、本発明に言う上記「チップの水平断面」とは、チップ（電子部品）がキャビティ内に収納される（差し込む）状態（姿勢）における水平断面を言う。言い換えれば、キャビティ内に収納されてマスク板と対向するチップの表面（上面または下面）に平行なチップ断面を言う。したがって、この水平断面は、マスク板と対向するチップの面に対応して、例えばチップの天面（おもて面）、底面（裏面）、側面または端面の各面に平行な断面となる場合がある。本発明では、この水平断面の大きさに対応して、チップの移動操作前（片寄スペーサ板によるチップの位置決め操作前）である前記第一水平位置におけるキャビティの開口サイズが当該水平断面より大きくなるように上記キャビティ形成部を配置する。
【００４０】
また、このキャビティ形成部によって形成される移動操作前のキャビティの大きさの上限として、当該移動操作前のキャビティの開口サイズは、当該開口内に挿入された状態でチップが水平方向に（キャビティの深さ方向に平行な軸周りに）回転することがない大きさとすることが望ましい。キャビティ内で片寄スペーサ板によってチップを移動するときに、チップが不用意に回転して位置ずれを起すことを防ぐためである。
【００４１】
かかるキャビティ形成部によって形成された開口内にチップを収容した後には、片寄スペーサ板を、キャビティ中心部から上記基準スペーサ板の基準角部に向う方向へ移動させる。これにより、キャビティ内のチップは当該片寄スペーサ板のキャビティ形成部に押されて基準スペーサ板の基準角部に向かって水平に移動し、最終的に基準角部に押し付けられてマスク板（成膜開口）に対して正確に位置決めされる。尚、この片寄スペーサの位置を以下、「第二水平位置」と言う。
【００４２】
マスク基体を構成するスペーサ板は、２枚に限られるものではなく、３枚以上あっても（第一スペーサ板および第二スペーサ板以外のスペーサ板を備えても）構わない。この場合、当該第一スペーサ板および第二スペーサ板以外に備えられるスペーサ板は、当該第一スペーサ板および第二スペーサ板と同様に、基準スペーサ板または片寄スペーサ板（後述する）とされるものであっても良いし、キャビティ形成部は有するが、基準スペーサ板および片寄スペーサ板のいずれともされないもの（例えば、単にキャビティの深さを上記電子部品の成膜状態における高さ寸法に合せるために積層されるスペーサ板など／後述の図２の中間スペーサ１５，１６のような）であっても良い。尚、基準スペーサ板および片寄スペーサ板のうちのいずれか一方または双方を２枚以上備える場合には、それらの積層順序は特に問わず、基準スペーサ板と片寄スペーサ板とを交互に積層しても良いし、いずれかのスペーサ板が連続して積層されていても良い。
【００４３】
キャビティの内面に備える前記成膜溝は、電子部品の成膜状態における周面に形成すべき外部構造体の長さに対応した深さを有することがある。成膜溝を利用してチップ周面に一定の長さの（当該周面の全長に亘ることなく途中までの長さを有する）外部構造体を形成する場合に、正確な長さ寸法の当該外部構造体を形成するためである。
【００４４】
一方、本発明では、マスク基体の上面および下面にマスク板を備え、成膜溝が、当該マスク基体の上面および下面に配した両マスク板の各成膜開口に連通してマスク基体を貫通する溝としても良い。このようなマスク（成膜溝）構造によれば、チップ周面の全高（垂直方向の全長）に亘る外部構造体（例えば当該収容状態におけるチップの上面の電極と下面の電極とを接続する電極）を形成することが可能となる。
【００４５】
また、第一スペーサ板および第二スペーサ板が共に、マスク基体の厚さ方向に重ねられる板状のスペーサ本体部と、当該スペーサ本体部を貫通する貫通開口とを備え、かつキャビティ形成部が前記貫通開口の形成領域内に張り出すように配置されることにより、前記貫通開口内にキャビティが形成されるようにしても良い。このようなマスク装置では、第一および第二スペーサ板の貫通開口内にチップを収納するキャビティが形成されることとなる。
【００４６】
さらにこのようなマスク装置では、第一スペーサ板および第二スペーサ板が共に、キャビティ形成部を２以上備え、これら２以上のキャビティ形成部が同一の前記貫通開口の形成領域内に張り出すように配置されることにより、前記貫通開口内に２以上のキャビティが形成されるようにすることが望ましい。
【００４７】
このように１つの貫通開口にキャビティが複数形成されるようにキャビティ形成部を設ければ、同一の貫通開口に属するキャビティに関し、隣接するキャビティ同士を接近させて配置することが可能となるから、１つの貫通開口に１つのキャビティを形成する場合と比べて、マスク装置全体としてキャビティ数を多く配設し、１回に処理できるチップの総数を増やすことが出来る。
【００４８】
また、このように貫通開口内にキャビティ形成部を設けるマスク構造においては、貫通開口の形成領域内に張り出してキャビティ内に収容された電子部品の周面に当接するキャビティ形成部の側面が、第一スペーサ板と第二スペーサ板とについて、略同一の高さ寸法を有し、かつ、略同一の高さ位置に配置されるようにすることが望ましい。
【００４９】
前述したように、第一スペーサ板と第二スペーサ板のうちの一方が基準スペーサ板となり、他方がチップを移動させる片寄スペーサ板となるが、上記のようにこれら両スペーサ板のキャビティ形成部の高さを揃えれば、同一の高さ位置でキャビティ形成部によってチップの周面が挟持されることとなるから、少なくとも基準スペーサ板と片寄スペーサ板を１組（各１枚ずつ）備えれば、キャビティ内におけるチップの移動時（位置決め操作時）に、また移動後の成膜時に、チップがキャビティ内で傾くようなことなく、安定してチップをキャビティ内に移動・保持することが可能となる。
【００５０】
一方、このように片寄スペーサ板によってチップを移動させる場合、特にチップが薄い場合には、チップがスペーサ板の間に潜り込み又は引っ掛かり、あるいは片寄スペーサ板がチップに乗り上げるなどして正確な位置決めが出来ない事態が生じる可能性もある。そこで、本発明のマスク装置ではさらに、マスク板およびスペーサ板を、少なくとも一部に磁石を備えた磁石板、または磁石によって吸引可能な磁性体を少なくとも一部に備えた磁性体板のいずれかにより形成しても良い。これにより、マスク装置を構成する各板を互いに強固に密着させ、全体として一体化して各板の反りやうねりをより確実に防ぎ、チップの潜り込みや位置ずれを防止することが出来る。
【００５１】
マスク板またはスペーサ板を構成する上記磁石板は、各板のそりやうねりをより確実に防ぐ点からは、当該板全体を磁石とする（板全体を磁石により構成する、あるいは板全体を磁化して磁石とする）ことが望ましいが、必ずしもこのような構造に限られず、一部に磁石を備えたものであっても良い。一部に磁石を備えるには、例えば、磁石を埋め込み、又は磁石を取り付け、あるいは当該板の一部を磁化するなどの方法によれば良い。
【００５２】
同様に、マスク板またはスペーサ板を構成する上記磁性体板は、各板のそりやうねりをより確実に防ぐ点からは、当該板全体を磁性体とする（板全体または少なくともその表裏面全体を磁性体により構成する）ことが望ましいが、必ずしもこのような構造に限られず、一部に磁性体を備えたものであっても良い。尚、マスク板またはスペーサ板についてそれらの一部に磁石ないし磁性体を備える場合には、当該マスク板またはスペーサ板内における磁石ないし磁性体の水平方向の位置（平面から見たときの位置）を各マスク板およびスペーサ板について略一致させれば、磁石によって磁性体を引き付け、各板を密着させることが出来る（後述の製造方法においても同様）。
【００５３】
さらに、磁性体板と磁石板とが交互に積層されるようにマスク板とスペーサ板とを、磁石板または磁性体板のいずれかにより形成すれば、各板の密着性をより一層高めることが出来る。
【００５４】
また、上記磁石板に備える磁石、または磁石板全体を覆う被膜を備えても良い。このような被膜を設ければ、マスク装置各板の繰り返しの使用によって磁石が欠け、その欠片が製品（電子部品）に混入するような問題を回避することが出来る。
【００５５】
被膜は、例えばニッケル（Ｎｉ）又はクロム（Ｃｒ）などの磁性体材料からなる金属被膜により構成することが、マスク板とスペーサ板或いは各スペーサ板同士を磁力により密着させる点で好ましいが、必ずしもこれらの磁性体材料に限られるものではなく、他の金属材料あるいは金属以外の材料を使用した被膜とすることも可能である。
【００５６】
上記磁性体は、鉄を主体とする材料、例えばＳＵＳ４３０により構成することが出来る。
【００５７】
一方、上記磁石は、鉄を主体とする材料からなる永久磁石とすることが望ましいが、電磁石とすることも可能である。また、前記永久磁石は、サマリウム、コバルトおよびネオジウムのうちの一種類以上を含むものとしても良く、ＳＵＳ４３０からなる板を磁化することにより構成することも出来る。
【００５８】
本発明に係る電子部品の製造方法は、１枚以上のスペーサ板を含みかつ電子部品を収容可能なキャビティを備えるマスク基体の当該キャビティ内に電子部品を収容する電子部品装填工程と、前記電子部品の外表面に形成すべき外部構造体の形状に対応した形状の成膜開口を有するマスク板を前記マスク基体の上面および下面のいずれか一方または双方に配置するマスク設置工程と、前記成膜開口を通じて前記電子部品の外表面に選択的に成膜を行うことにより前記外部構造体を形成する成膜工程とを含む。
【００５９】
そして、上記キャビティは、内部に収容した電子部品の周囲を取り囲むことが出来るよう電子部品の成膜状態における高さ寸法と略同一の深さ寸法を有するとともに、その内面に成膜開口に連通する成膜溝を備え、上記成膜工程において、外部構造体を構成する材料を成膜開口を通じてキャビティ内に供給することにより、当該キャビティ内に収容された電子部品の上面および下面のいずれか一方または双方と共に当該電子部品の周面に外部構造体を同時に形成する。
【００６０】
このような電子部品の製造方法によれば、従来と比べて少ない工程数で電子部品の外表面に電極等の外部構造体を形成することが出来る。
【００６１】
また、上記製造方法は、電子部品装填工程と成膜工程との間に、キャビティ内に収容した電子部品をキャビティ内で水平に移動させることによりマスク板に対して位置決めする部品位置決め工程をさらに含んでいても良い。
【００６２】
この場合、マスク基体は、キャビティを形成するキャビティ形成部を有しかつ当該マスク基体の厚さ方向に積層される、第一スペーサ板および第二スペーサ板を少なくとも含む２枚以上のスペーサ板を備え、これら２枚以上のスペーサ板のキャビティ形成部によってキャビティが形成されるとともに、これらキャビティ形成部の少なくとも１つ以上が成膜溝を備え、第一スペーサ板および第二スペーサ板のうちのいずれか一方を、電子部品をキャビティ内で水平方向について位置決めするときに基準となりかつ互いに交叉して基準角部を形成する第一基準内面と第二基準内面とをキャビティ形成部が有し、かつ、マスク板との間で相対位置が固定された基準スペーサ板とし、第一スペーサ板および第二スペーサ板のうちの他方を、水平方向に摺動可能に配置されてキャビティ内に収容した電子部品をキャビティ形成部で押し進めることによりキャビティ内で水平に移動させる片寄スペーサ板とし、上記部品位置決め工程において、片寄スペーサ板を、キャビティ中心部から基準角部に向う方向へ移動させることにより、電子部品を第一基準内面と第二基準内面とによって形成された基準角部に押し付け、当該電子部品をマスク板に対して位置決めする。
【００６３】
このような方法によれば、前記本発明のマスク装置について述べたのと同様に、キャビティ内に容易にチップを収容すると共に、収容したチップをマスク板に対して正確に位置決めすることが出来る。
【００６４】
さらに、上記方法においても、マスク板および前記スペーサ板として、少なくとも一部に磁石を備えた磁石板、または磁石によって吸引可能な磁性体を少なくとも一部に備えた磁性体板のいずれかにより形成された板を使用しても良い。
【００６５】
上記成膜工程では、スパッタ法、蒸着法または気相成長法（ＣＶＤ法）等の気相成膜法（乾式成膜法）、あるいはインクジェット法、ペースト印刷法、転写法等により成膜を行うものとし、これらいずれかの成膜法によって電子部品の外表面に外部構造体を形成する。
【００６６】
また、本発明の電子部品は、１以上の電気的機能素子部を含み、かつ、互いに隣接して交差する２以上の外表面を有する電子部品本体と、前記外表面のうちの少なくとも２つの外表面に亘って連続するように前記電子部品本体の外表面に備えられた外部構造体とを有する電子部品であって、前記外部構造体が、前記互いに隣接した外表面が交差する角部において界面を有さないことを特徴とするものである。
【００６７】
前述したように従来、互いに交差する複数の外表面に亘って外部構造体（例えば電極）を形成する場合には、各面に対して別々に成膜を行う必要があったが、このような外部構造体では、当該交差する面の角部において界面（第一の面に対して成膜した外部構造体の膜部分と、この第一の面に隣接する第二の面に対して成膜した外部構造体の膜部分との境界）が見られることとなる。このような界面の存在は、既に述べたように電気抵抗を増大させることから、あるいは、このような角部は平面部分と比較して外力や内部応力がかかりやすいことから、外部構造体の機械的な接合強度の点からも好ましいものではない。
【００６８】
したがって、本発明の電子部品では、隣接する外表面が交差する電子部品本体の角部において外部構造体が界面を有さない構造とする。これにより、当該外部構造体の電気的特性ならびに機械的接合強度を向上させることが出来る。尚、このような複数の外表面に亘って界面の無い外部構造体を備える電子部品は、前記本発明に係る製造方法あるいはマスク装置を使用することによって容易に作製することが可能である。
【００６９】
また、「界面を有さない」とは、当該外部構造体の厚さ方向ではなく、長さ方向に関して言うものであって、例えば当該外部構造体が複数の成膜層が積層された構造である場合には、当該複数の成膜層の間には（外部構造体の厚さ方向には）界面が存在していても勿論構わない。さらに、電子部品本体の角部ではなく、例えば一の外表面の中間部で界面を有するものであっても（例えば後述の実施形態において両面からの同時スパッタではなく、片面ずつ２工程に分けてスパッタ照射を行う場合にはチップの周面で界面が形成される）、電子部品本体の角部（隣接する２つの外表面の境界部）で界面が存在しなければ、上記本発明に言う電子部品であり、本発明に含まれる。
【００７０】
また、上記「電気的機能素子部」とは、何らかの電気的な（又は電磁気的な）機能を奏する部分を言い、例えばインダクタやキャパシタ、抵抗その他の受動素子機能を構成する部分、あるいはトランジスタのような能動素子機能を備えた構成部分を意味し、本発明の電子部品はこれら電気的機能を実現する素子部を１つ以上有する。
【発明の効果】
【００７１】
本発明によれば、電子部品の外表面に設けられる外部構造体について、複数の面に同時に当該構造体を形成して製造工程数を減らすことが出来る。また、当該外部構造体につき、機械的・電気的に良好な接合状態を実現することが出来る。さらに、マスク装置のキャビティ内に電子部品を容易に収容し、確実に位置決めしてより正確な位置・形状の電極を形成することが出来る。
【００７２】
本発明の他の目的、特徴および利点は、以下の本発明の実施の形態の説明により明らかにする。尚、本発明は下記の実施形態に限定されるものではなく、特許請求の範囲に記載の範囲内で種々の変更を行うことができることは当業者に明らかである。また、各図中、同一の符号は、同一又は相当部分を示す。
【発明を実施するための最良の形態】
【００７３】
〔第１実施形態〕
図１は、本発明の第一の実施形態に係るマスク装置を使用して端子電極を形成した電子部品（チップ）を示すものである。この図に示すように第一実施形態に係るマスク装置は、チップ１の天面１ａから端面（短手方向の一対の側面）１ｅ，１ｆおよび底面１ｂに亘り連続する端子電極２Ａ，２Ｂをチップ１の両端部にそれぞれ同時に（１回の成膜工程で）スパッタにより形成することを可能とするものである。
【００７４】
図２は本実施形態に係るマスク装置を概念的に示す分解斜視図であり、図３は当該マスク装置に含まれる基準スペーサと片寄スペーサを拡大して示す斜視図、図４Ａから図４Ｃはそれぞれ当該マスク装置のチップ装填時の状態を示す平面図、Ｘ‐Ｘ断面図およびＹ‐Ｙ断面図、図５Ａから図５Ｃはそれぞれ当該マスク装置の成膜時の状態を示す平面図、Ｘ‐Ｘ断面図およびＹ‐Ｙ断面図、図６Ａ及び図６Ｂは当該マスク装置の全体構成を説明する概念図である。
【００７５】
これらの図に示すように、第一実施形態に係るマスク装置１１は、チップ１を収容しこれを保持するマスク基体１２と、このマスク基体１２の表裏面にそれぞれ配置するパターンマスク（マスク板）１３，１３ａとを備えている。尚、パターンマスク１３，１３ａの表面（上部パターンマスク１３の上面ならびに下部パターンマスク１３ａの下面）には、これらパターンマスク１３，１３ａを支持する補強板（図示せず）をそれぞれ設ける。
【００７６】
また、これら図２から図５は、本装置（パターンマスク１３，１３ａ、マスク基体１２等）の一部（チップ２個分の収容部分／キャビティ２つ分）を拡大して概念的に示しているものであって（図８から図１２に示す後述の第二実施形態についても同様）、本実施形態の装置１１ではマスク基体１２には多数のチップ１をそれぞれ１つずつ収納できるように多数（例えば数百から数千）のキャビティ２５を形成し、またこれら各キャビティ２５に対応してパターンマスク１３，１３ａにも多数の成膜開口１０を設けて一度に多数のチップ１に対し成膜処理を行うことが出来るようにしてある。
【００７７】
パターンマスク１３，１３ａには、形成すべき電極２Ａ，２Ｂの形状に対応した形状の開口１０、より具体的には、キャビティ２５への収納状態におけるチップ１の上面（端面１ｅ，１ｆ）の電極形成部分２ａと、チップ１の周面（天面１ａおよび底面１ｂ）の電極部分２ｂ，２ｃを形成するための成膜溝２６に対応した開口（成膜開口）１０を設けてあり、この成膜開口１０を通じてスパッタにより電極膜２Ａ，２Ｂを形成する。尚、成膜の方法は、スパッタに限られず、他の気相成膜法（例えば蒸着法やＣＶＤ法等）やインクジェット法、ペースト印刷法、転写法等を使用できることは既に述べたとおりである。また、当該成膜開口１０を塞ぐことがないように前述の補強板（図示せず）にも開口を設けておく。
【００７８】
マスク基体１２は、複数枚（この実施形態では２枚）の基準スペーサ１４ａと、複数枚（この実施形態では２枚）の片寄スペーサ１４ｂと、複数枚（この実施形態では３枚）の中間スペーサ１５，１６とからなり、これらのスペーサ１４〜１６によりチップ１の周囲（両側面１ｂ，１ｃ、底面１ｂおよび天面１ａ）を取り囲めるようにしてある。また、各スペーサ１４〜１６を積層した高さ（マスク基体１２の高さ）は、チップ１の長手方向の長さｌ（図１参照）に一致させてあり、キャビティ２５（後述する）内にチップ１を立てた状態で収容し、上面のパターンマスク１３を被せると上下両パターンマスク１３，１３ａによって挟持されチップ１が垂直方向について固定される。
【００７９】
基準スペーサ１４ａと片寄スペーサ１４ｂは、この実施形態では、これら１枚ずつを一組として（以下、このような基準スペーサ１４ａと片寄スペーサ１４ｂとからなる組を「位置決めスペーサ対」又は単に「スペーサ対」と言う）、２組の位置決めスペーサ対１４をマスク基体１２の上端部と下端部とにそれぞれ配置し、これら２組のスペーサ対１４によってチップ１をパターンマスク１３，１３ａに対して位置決めする。各スペーサ対１４を構成する基準スペーサ１４ａと片寄スペーサ１４ｂとは、上下方向に隣接して積層される。
【００８０】
尚、当該スペーサ対１４は、この実施形態では、１枚の基準スペーサ１４ａと１枚の片寄スペーサ１４ｂとからなるものとしたが、当該スペーサ対１４に含まれる基準スペーサ１４ａ及び片寄スペーサ１４ｂの枚数は特に問わず、基準スペーサ１４ａと片寄スペーサ１４ｂのうちのいずれか一方又は双方が２枚以上であっても良い。また、スペーサ対１４を１組とすることも、或いは３組以上設けることも可能である。
【００８１】
基準スペーサ１４ａは、当該マスク装置１１を貫通する位置決めピン３１（図６Ａ，図６Ｂ参照）によって上記パターンマスク１３，１３ａとの間で水平方向の相対位置が固定されるように設置してある。また、基準スペーサ１４ａと片寄スペーサ１４ｂには、当該スペーサ１４ａ，１４ｂを貫通する貫通開口２０を設けてあり、この貫通開口２０の内側にキャビティ２５を形成するためのキャビティ形成部２１，２２を設ける。キャビティ形成部２１，２２は、互いに直交する２つの内側面を有して略Ｌ字状の平面形状を持ち、貫通開口２０の一側縁から開口内に水平に張り出している。
【００８２】
一方、上記基準スペーサ１４ａに隣接して積層される片寄スペーサ１４ｂは、図６Ａ及び図６Ｂに示すように例えば上記位置決めピン３１に長孔３２を介して係合させるようにすることにより、上記位置決めピン３１をマスク基体１２に貫通させ各スペーサ１４〜１６を積層した状態（パターンマスク１３，１３ａと基準スペーサ１４ａが水平方向に関し相対的に固定された状態）でも水平方向に移動させることが出来るように設置してある。
【００８３】
この片寄スペーサ１４ｂの移動方向をさらに具体的に述べれば、後述の片寄スペーサ１４ｂのキャビティ形成部２２の両内側面によって形成される角部を、基準スペーサ１４ａの基準角部２８へ近づける方向（キャビティ２５の対角線方向）である。言い換えれば、基準スペーサ１４ａのキャビティ形成部２１が備える２つの内側面２３，２４のうちの一方の内側面（第一の内側面）２３と、この内側面に対向する片寄スペーサ１４ｂのキャビティ形成部２２が備える２つの内側面３３，３４のうちの一方の内側面（第一の内側面）３３とが互いに近づき、かつ、基準スペーサ１４ａのキャビティ形成部２１が備える２つの内側面２３，２４のうちの他方の内側面（第二の内側面）２４と、この内側面２４に対向する片寄スペーサ１４ｂのキャビティ形成部２２が備える２つの内側面３３，３４のうちの他方の内側面（第二の内側面）３４とが互いに近づく方向へ片寄スペーサ１４ｂは移動可能に設けてある。
【００８４】
また、片寄スペーサ１４ｂも、基準スペーサ１４ａと同様の貫通開口２０を有してこの貫通開口２０内にキャビティ２５を形成するキャビティ形成部２２を備える。ただし、この片寄スペーサ１４ｂのキャビティ形成部２２は、貫通開口２０の、上記基準スペーサ１４ａのキャビティ形成部２１とは反対側の側縁から貫通開口２０内へ水平に張り出し、基準スペーサ１４ａのキャビティ形成部２１と対になって、略方形の水平断面形状を有するキャビティ２５を形成できるように逆Ｌ字状の平面形状を有する。つまり、貫通開口２０の内方へ向けて互いに対向するように張り出す一対のキャビティ形成部２１，２２（基準スペーサ１４ａに支持されたキャビティ形成部２１と、片寄スペーサ１４ｂに支持されたキャビティ形成部２２）によって、チップ１を収容するキャビティ２５を貫通開口２０内に形成する。
【００８５】
１つの貫通開口２０には、この実施形態では、２組の（２対の）キャビティ形成部２１，２２を設け、２つのキャビティ２５を形成している。キャビティ２５（キャビティ形成部２１，２２）の配設数は、この例のほかにも、１つの貫通開口あたり１つ（１組）とすることも出来るし、３組以上のキャビティ形成部２１，２２を設けて３つ以上のキャビティ２５を備えるようにすることも可能である。尚、この場合、キャビティ２５の配設数に対応して貫通開口２０の大きさを適宜変更すれば良い（後述の第二実施形態についても同様）。
【００８６】
基準スペーサ１４ａのキャビティ形成部２１と、片寄スペーサ１４ｂのキャビティ形成部２２とは、同一の厚さ（高さ）寸法を有する。また、上面側に配される基準スペーサ１４ａのキャビティ形成部２１は、その上面は当該基準スペーサ１４ａの上面と面一となっており、したがって基準スペーサ１４ａの上面は全体として平坦であるが、貫通開口２０内で下方へ突出し、その下面が、基準スペーサ１４ａの下面に配される片寄スペーサ１４ｂの下面と面一となるよう構成してある。
【００８７】
一方、下面側に配される片寄スペーサ１４ｂのキャビティ形成部２２は、その下面は当該片寄スペーサ１４ｂの下面と面一となっているが（したがって片寄スペーサ１４ｂの下面は全体として平坦である）、貫通開口２０内で上方へ突出し、その上面が、当該片寄スペーサ１４ｂの上面に配される基準スペーサ１４ａの上面と面一となるよう構成してある。したがって、当該スペーサ対１４に備えられる基準・片寄両スペーサ１４ａ，１４ｂのキャビティ形成部２１，２２は、同一の高さ位置に配置されることとなり、後述のようにキャビティ２５内でチップ１を水平に移動させてキャビティ２５内に保持するときに、チップ１の周囲を同一の高さから安定して挟持することが出来る。
【００８８】
尚、当該説明は、マスク基体１２の上端側に設けるスペーサ対１４（基準スペーサ１４ａを上側に、片寄スペーサを下側に配置してある）に関するものであり、マスク基体１２の下端部側に設ける前記スペーサ対１４については、これとは逆に、片寄スペーサ１４ｂを上側に、基準スペーサ１４ａを下側に配置してあるから、上記説明において両スペーサの関係（キャビティ形成部２１，２２の上下への突出方向）が逆になる。ただし、上記スペーサ対と全く同一の機能を奏することは明らかである。
【００８９】
基準スペーサ１４ａのキャビティ形成部２１は、上記のようにＬ字状の平面形状を有し、したがって互いに直交する２つの内側面２３，２４を有するが、これらの内側面２３，２４は、パターンマスク１３，１３ａ（成膜開口）に対してチップ１を位置決め（水平方向に関して）する基準面（第一基準内面および第二基準内面）となり、これら基準面２３，２４により形成される角部２８は基準角部となるものである。これら基準面２３，２４および基準角部２８とパターンマスク１３，１３ａの成膜開口１０との相対位置関係を上記位置決めピン３１により固定するようにしておくことで、キャビティ２５内でパターンマスク１３，１３ａに対しチップ１を位置決め可能としている。
【００９０】
尚、この基準角部２８には、キャビティ形成部２１の全高に亘って延在する（上面から下面に至る）円筒状の切欠溝２７を形成してある。このような切欠溝２８を設ければ、スペーサの作製時に当該基準角部２８が丸みを帯びて（なまって）しまったり、あるいはチップ１の位置決め時にチップ１の角が正確に形成されていなかったり混入物（ゴミ）が付着するようなことがあっても、チップ１の角を切欠溝２７内に収容して、第一基準内面２３と第二基準内面２４とにチップ１の周面を確実に押し付けることが可能となるから、パターンマスク１３，１３ａに対してチップ１を正確に位置決めすることが出来る。また、後述の片寄スペーサ１４ｂのキャビティ形成部２２についても、同様の理由から、２つの内側面３３，３４によって形成される角部に同様の切欠溝２７を設けている。
【００９１】
さらに、基準スペーサ１４ａのキャビティ形成部２１と、片寄スペーサ１４ｂのキャビティ形成部２２とは、片寄スペーサ１４ｂを移動させたチップ１の位置決め状態においても、互いに当接することがないように両キャビティ形成部２１，２２の間に隙間Ｓを設けている（図５Ａ参照）。このような隙間Ｓを設けておけば、例えばキャビティ形成部２１，２２の形成精度誤差やチップ１の外形にばらつきが生じた場合にも、チップ１の位置決め操作時にキャビティ形成部２１，２２同士が接触してチップ１の位置決めが妨げられるような事態が生じることを防ぎ、チップ１を基準スペーサ１４ａの上記基準内面２３，２４に確実に押し付けてパターンマスク１３，１３ａに対して正確に位置決めすることが出来る。
【００９２】
基準スペーサ１４ａと片寄スペーサ１４ｂとに備えた一対のキャビティ形成部２１，２２の内側面２３，２４，３３，３４には、互いに対向するように、成膜溝２６をそれぞれ設ける。これらの成膜溝２６は、成膜開口１０を通じてマスク装置内に侵入したスパッタ材料を、キャビティ２５内に収容したチップ１の周面（天面１ａ側及び底面１ｂ側）に回り込ませて各周面１ａ，１ｂに端面１ｅ，１ｆに連続する電極膜２Ａ，２Ｂを形成するもので、上端（マスク基体下端のスペーサ対については下端／以下同様）が開放されてパターンマスク１３（又は１３ａ）の成膜開口１０に連通する一方、キャビティ形成部２１，２２の高さ方向についてキャビティ形成部２１，２２の中間部まで（当該チップ天面１ａ及び底面１ｂの電極部分２ｂ，２ｃの長さに対応した長さに亘り）延びて下端（マスク基体下端のスペーサ対については上端／以下同様）は閉塞されている（底がある）。
【００９３】
中間スペーサ１５，１６は、マスク基体上端の位置決めスペーサ対１４と、マスク基体下端の位置決めスペーサ対１４との間隙を埋め、チップ１の周囲を取り囲むために設けたもので、各中間スペーサ１５，１６は上記位置決めスペーサ対１４（基準スペーサ１４ａ及び片寄スペーサ１４ｂ）と共に、チップ１を収容するキャビティ２５を形成するための貫通開口３０，４０を備えている。これら中間スペーサ１５，１６に設ける貫通開口３０，４０は、チップ１の装填ならびに位置決め操作を邪魔しない大きさの開口であれば、形状は特に問わない。具体的には、チップ装填時（片寄スペーサ１４ｂの移動操作前）に上記スペーサ対１４によって形成されるキャビティ開口より大きく、かつ、平面から見て当該スペーサ対１４によるキャビティ開口がその内側に含まれるように配置された開口であれば良く、その形状も問わない。また、これら中間スペーサ１５，１６の何れか或いは総てに代えて、上記基準スペーサ１４ａや片寄スペーサ１４ｂをマスク基体１２の中間部に設けても良い。
【００９４】
〔チップの装填・位置決め操作〕
マスク装置１１内にチップ１を装填するには、下面の補強板（図示せず）とパターンマスク１３ａ、並びにマスク基体１２（基準スペーサ１４ａ、片寄スペーサ１４ｂ及び中間スペーサ１５，１６）を積み重ねて組み立てた状態でキャビティ２５内にチップ１を入れ、その後、上面のパターンマスク１３と補強板（図示せず）とを装着する。このとき、片寄スペーサ１４ｂは、図４Ａから図４Ｃ並びに図６Ａに示すように、キャビティ２５が大きく開口した前記第一水平位置にあり、キャビティ２５に対してチップ１を容易に挿入することが出来る。
【００９５】
そして、キャビティ２５にチップ１を装填した後には、図５Ａから図５Ｃ並びに図６Ｂに示すように、片寄スペーサ１４ｂのキャビティ形成部２２が基準スペーサ１４ａのキャビティ形成部２１に接近するように前記第二水平位置へと片寄スペーサ１４ｂを水平移動させる（図４Ａ〜４Ｃ，図６Ａの矢印Ａ参照）。すると、チップ１は片寄スペーサ１４ｂの内側面３３，３４に押されてキャビティ２５内で水平に移動し、基準スペーサ１４ａの両基準面２３，２４に当接して基準角部２８にちょうど収まる。この位置決め完了状態でチップ１は、基準スペーサ１４ａのキャビティ形成部２１と片寄スペーサ１４ｂのキャビティ形成部２２とに挟まれて水平方向の移動が阻止され、パターンマスク１３，１３ａの成膜開口１０に対して位置決めされた状態でキャビティ２５内に水平方向に関し固定される。
【００９６】
またこの固定状態では、位置決めスペーサ対１４（基準スペーサ１４ａのキャビティ形成部２１と片寄スペーサ１４ｂのキャビティ形成部２２）が同一の高さ位置からチップ１を挟む形となると共に、チップ１の上下両端部に当該位置決めスペーサ対１４をそれぞれ設けているから、傾くことなく安定してチップ１を水平方向に移動させ上下面のパターンマスク１３，１３ａに対して保持することが出来る。
【００９７】
そして、チップ１の位置決めが完了した後には、上面のパターンマスク１３と補強板とを被せれば、上下両パターンマスク１３，１３ａの間にチップ１が挟持されて垂直方向に関してもチップ１がキャビティ２５内に保持される。
【００９８】
尚、マスク装置１１には、マスク装置全体（上下両パターンマスク１３，１３ａ、ならびに各スペーサ１４〜１６からなるマスク基体）を締め付けることが可能な複数本の貫通ボルト（図示せず）を設ける。上記のようにチップ１をキャビティ２５内に装填し上面のパターンマスク１３および補強板を被せた後に当該貫通ボルトでマスク装置全体を締め付けることで、パターンマスク１３，１３ａと各スペーサ１４〜１６とを一体化し、パターンマスク１３，１３ａに対してチップ１を確実に保持するためである。
【００９９】
尚、パターンマスク１３，１３ａや各スペーサ１４〜１６とを固定する手段は、かかる貫通ボルト以外にも他の固定手段によることも可能である。また、上記貫通ボルトは、基準スペーサ１４ａをパターンマスク１３，１３ａに位置決めする前記位置決めピン３１を兼ねるものとすることも可能である。また、上記貫通ボルトならびに位置決めピン３１の配設本数や位置は、特に問わない。
【０１００】
パターンマスク１３，１３ａおよび各スペーサ１４〜１６は、磁石または金属磁性体により形成し、これらが略交互に積層されるようにしても良い。パターンマスク１３，１３ａとスペーサ１４との間、ならびに各スペーサ１４〜１６の間を磁力により密着させるためである。尚、磁力による密着力が強すぎる場合には、パターンマスク１３，１３ａ又はスペーサ１４〜１６に貫通孔を適宜設けることにより、あるいは板全体を磁石ないし磁性体により構成するのではなく、その一部に磁石ないし磁性体板を設けるようにすれば、磁力および磁力による吸着力をコントロールすることが出来る。
【０１０１】
パターンマスク１３，１３ａや各スペーサ１４〜１６を金属磁性体板とするには、これらを例えば鉄（Ｆｅ）を主体とした金属板（例えば各種のＦｅ合金やＳＵＳ４３０等）により形成し、これに成膜開口１０や貫通開口２０、キャビティ形成部２１，２２をエッチング加工すれば良い（基準スペーサ１４ａ及び片寄スペーサ１４ｂの作製方法については後に述べる）。また、磁石板とするには、当該エッチング加工の後、これら金属磁性体をさらに磁化すれば良い。また、非磁性体板（例えば非磁性のステンレス板等）であっても、これに対して磁性体材料（例えばＮｉ）をめっきすれば上記磁性体板として使用することができ、これを更に磁化すれば磁石板として用いることが出来る。また、これらパターンマスク１３，１３ａや各スペーサ１４〜１６は、電鋳法や析出法により作製することも可能である。
【０１０２】
また、上記パターンマスク１３，１３ａ、並びに各スペーサ１４〜１６を磁石板で構成した場合には、これを被膜により覆うようにしても良い。このような被膜を設ければ、マスク装置１１の繰り返しの使用によって当該磁石板が欠け、その欠片がチップ１に付着したり形成する電極内に混入するような事態を防ぐことが出来る。この被膜としては、例えばＮｉあるいはＣｒ膜を設ければ良い。
【０１０３】
さらに、パターンマスク１３，１３ａおよび各スペーサ１４〜１６の構成材料は、上記のほかにも、例えばＣｕにＮｉめっきを施した板や、Ｎｉ板、Ｎｉ板の表面にＳＵＳを配した板、Ｎｉ板の表面に熱硬化性樹脂（例えばフッ素やポリイミド等）の表面層を形成した板など様々な材料を使用することが可能である。
【０１０４】
また、本実施形態と同様の構成を有するマスク装置によれば、図７に示すように、チップ１の側面１ｃ，１ｄ（長手方向の一対の側面）側に同様の端子電極３Ａ，３Ｂを形成することも可能である。すなわち、当該変形例に係る装置では、マスク基体全体の厚さがチップ１の端面１ｅ，１ｆの幅寸法ｗに一致するように、基準スペーサ１４ａと片寄スペーサ１４ｂと、必要に応じて中間スペーサとを積層すると共に、キャビティ２５の開口サイズや、パターンマスク１３，１３ａの成膜開口１０、成膜溝２６の形状・寸法を、チップ側面１ｃ，１ｄを上下に配置した図７に示したチップ１の姿勢に対応したものとすれば良い。このような装置によれば、チップ１の天面１ａ、側面１ｃ（又は１ｄ）及び底面１ｂに亘り連続する電極３Ａ，３Ｂをチップ１の両側面部に形成することが出来る。
【０１０５】
〔第２実施形態〕
図８は、本発明の第二の実施形態に係るマスク装置を使用して端子電極を形成したチップを示すものである。この図に示すように第二実施形態に係るマスク装置は、チップ１の両端面部と両側面部とに、それぞれチップ１の天面１ａから端面１ｅ，１ｆ又は側面１ｃ，１ｄ、並びに底面１ｂに亘り連続する端子電極２Ａ，２Ｂ，３Ａ，３Ｂを同時にスパッタ形成することを可能とするものである。
【０１０６】
図９は第二実施形態に係るマスク装置を概念的に示す分解斜視図であり、図１０Ａから図１０Ｃはそれぞれ当該マスク装置のチップ装填時の状態を示す平面図、Ｘ‐Ｘ断面図およびＹ‐Ｙ断面図、図１１Ａから図１１Ｃはそれぞれ当該マスク装置の成膜時の状態を示す平面図、Ｘ‐Ｘ断面図およびＹ‐Ｙ断面図である。
【０１０７】
これらの図に示すように、本実施形態に係るマスク装置５１も前記第一実施形態の装置と同様に、チップ１を収容しこれを保持するマスク基体１２と、このマスク基体１２の表裏面にそれぞれ配置するパターンマスク５３，５３ａとを備え、マスク基体１２はパターンマスク５３，５３ａに対して相対位置が固定された基準スペーサ１４ａと、チップ装填時の前記第一水平位置とパターンマスク５３，５３ａに対してチップ１を位置決めした前記第二水平位置との間で水平移動が可能な片寄スペーサ１４ｂとを有する。
【０１０８】
ただし、本実施形態のマスク装置５１では、チップ１を水平に（天面１ａと底面１ｂとが上下に向くように）保持するから、当該チップ１の収容姿勢（高さ）に合わせてちょうどこれを保持してチップ１の周面（側面１ｃ，１ｄと端面１ｅ，１ｆ）を取り囲むことが出来るようにマスク基体１２を構成するスペーサの配設枚数を前記第一実施形態とは異なるものとしてある。具体的には、１組の位置決めスペーサ対１４（１枚の基準スペーサ１４ａと１枚の片寄スペーサ１４ｂ）によりマスク基体１２を構成している。
【０１０９】
また、基準スペーサ１４ａと片寄スペーサ１４ｂの各キャビティ形成部２１，２２に設ける成膜溝５６は、形成すべき端子電極数（この例の場合４つ）に対応して、基準スペーサ１４ａのキャビティ形成部２１の各内側面２３，２４に１つずつと、片寄スペーサ１４ｂのキャビティ形成部２２の各内側面３３，３４に１つずつで、１つのキャビティ２５について合計４つ設けてある。
【０１１０】
さらに、これらの成膜溝５６は、上面のパターンマスク５３が備える成膜開口５０と、下面のパターンマスク５３ａが備える成膜開口５０の双方に連通するように、キャビティ形成部２１，２２の上面から下面に掛けて（キャビティ形成部２１，２２の全高さに亘って）延在する貫通溝とする。マスク基体１２の上下両面に配したパターンマスク５３，５３ａの成膜開口５０からそれぞれスパッタ材料を成膜溝５６内に侵入させ、チップ天面１ａの電極部分２ｂ，３ｂとチップ底面１ｂの電極部分２ｃ，３ｃとを繋ぐ端面電極２Ａ，２Ｂおよび側面電極３Ａ，３Ｂを形成するためである。
【０１１１】
パターンマスク５３，５３ａ、基準スペーサ１４ａ及び片寄スペーサ１４ｂは、前記第一実施形態と同様に磁石板と磁性体板が交互に積層されるように、磁石板または磁性体板のいずれかにより形成しても良い。
【０１１２】
マスク装置５１へのチップ１の装填および位置決め操作は、前記第一実施形態と同様である。図１０Ａから図１０Ｃに示すように、片寄スペーサ１４ｂが第一水平位置にある状態で、キャビティ２５へチップ１を装填して上面のパターンマスク５３を被せた後、図１１Ａから図１１Ｃに示すように片寄スペーサ１４ｂを第二水平位置へスライドさせ、パターンマスク５３，５３ａに対してチップ１を位置決めすれば良い。基準スペーサ１４ａのキャビティ形成部２１が、チップ１の４つの周面（両端面１ｅ，１ｆおよび両側面１ｃ，１ｄ）のうち、隣接する２つのチップ周面（一方の端面１ｅ又は１ｆと一方の側面１ｃ又は１ｄ）に当接すると共に、片寄スペーサ１４ｂのキャビティ形成部２２が、隣接する他の２つのチップ周面（他方の端面１ｆ又は１ｅと他方の側面１ｄ又は１ｃ）に当接してキャビティ２５内にチップ１が保持される。
【０１１３】
図１２は第二実施形態の変形例に係るマスク装置を示すものであるが、同図に示すように基準スペーサ１４ａ及び片寄スペーサ１４ｂを薄く構成してこれらを２枚以上設けることも可能である。さらに、パターンマスク５３の成膜開口５０を変更することにより、図１３に示すような、例えば端子電極２Ａ，２Ｂ同士を接続する配線４を同時に形成するようなことも行うことが出来る。
【０１１４】
さらに図１５は、本発明に係る電子部品の一例を示す断面図である。同図に示すようにこの電子部品１は、ベース基板（電子部品本体）１Ａの複数の外表面１ａ，１ｅ（又は１ｆ），１ｂに亘って連続し、かつ、特に電子部品本体１Ａの角部Ｃにおいて界面を有さない電極２０１（第一層２０１ａおよび第二層２０１ｂ）を備えるものである。このような電極２０１を備える電子部品１は前記実施形態あるいは本発明に基づく同様のマスク装置を使用すれば容易に作製することが出来る。尚、図１５に示した電子部品１は、チップ１の天面１ａ、端面１ｅ，１ｆおよび底面１ｂ（３つの外表面）に亘る電極２０１を備えるものであるが、当該界面の無い電極２０１は、隣接する２つの外表面に設けたものであっても良いし、４つ以上の外表面に亘り形成することも可能である。形成する外表面についても、この例のほかにも様々な面に亘って形成することが出来る。
【０１１５】
さらに、図１６Ａから図１６Ｃは本発明に基づくマスク装置を使用して外表面に電極を形成したチップを例示するものであるが、これらの図に示すように本発明に基づいて作製されたチップの電極（外部構造体）には、成膜溝を利用して成膜が行われるチップ周面の電極部分２０２ａの側縁が、真っ直ぐ垂直に形成されずにテーパ状の側縁を備える場合がある。これは、スペーサ（成膜溝）を作製する場合に、成膜溝の溝幅が高さ方向について一定幅に（成膜溝の内面が垂直に切り立つように）ならず、成膜溝の形状がテーパ状になりやすいことによる。特にスペーサの厚さ寸法が大きい場合、またエッチング法により成膜溝を形成する場合にはこのような傾向が強くなり、したがって当該マスク装置を使用して形成された周面電極２０２ａにも当該成膜溝のテーパ形状に対応したテーパ状の側縁が表れることとなる。尚、図１６Ａから図１６Ｃにおいて、符号２０２ｂ，２０２ｃはパターンマスクの成膜開口を通じて成膜が行われたチップ上下面の電極部分を示す。
【０１１６】
また、このようなテーパ状の側縁は、スペーサの積層枚数やテーパ状の成膜溝の向き（上方に向け拡開しているか或いは下方に向け拡開しているか）等によって様々な形状パターンが表れる。例えば、マスク基体が１組のスペーサ対により構成される前記第二実施形態のように１つの成膜溝が、複数枚のスペーサに形成された成膜溝が垂直方向に繋げられた形態を採るのではなく、単純に１枚のスペーサに形成された（１本の）成膜溝のみによって形成されているような場合には、図１６Ａに示すように当該電極部分２０２ａの全高さに亘り連続した（直線状の）テーパ縁となる。
【０１１７】
また、スペーサの積層枚数やテーパ状の成膜溝の向き等によっては、図１６Ｂから図１６Ｃに示すようにその一部がテーパ状となったり、テーパの開き具合（角度）や方向が異なる複数のテーパ状側縁が上下方向に繋がった形状となるなど、これら図１６Ａから図１６Ｃに示した例のほかにも様々なパターンのテーパ状側縁が見られることがある。また、周面電極部分がチップ周面の全高に亘らず途中まで延びているような電極（例えば図１の周面電極部分２ｂ，２ｃのような）についても、成膜溝を通じて成膜が行われるチップ周面の電極部分には、同様の理由から、テーパ状の側縁が見られることがある。
【０１１８】
〔スペーサの作製方法〕
本第二実施形態ならびに前記第一実施形態に係るスペーサ（基準スペーサ１４ａ及び片寄スペーサ１４ｂ）は、例えば次のようにして作製することが出来る。
【０１１９】
図１４を参照して、まず、上記スペーサ１４ａ，１４ｂを電鋳する母型を作製するため、レジスト１０２を塗布したステンレス板１０１の表面に（同図（ａ））露光及び現像を行ってレジスト１０２によりキャビティ形成部２１，２２のパターンを作成した後（同図（ｂ））、Ｃｕをめっき成長させてステンレス板１０１の表面にＣｕ膜１０３を形成する（同図（ｃ））。次に、このＣｕ膜１０３の上にレジスト１０４を塗布し露光・現像を行うことにより、貫通開口２０のパターンを当該レジスト１０４でＣｕ膜１０３の表面に形成する（同図（ｄ））。
【０１２０】
そして、これを母型として、スペーサ１４ａ，１４ｂを構成するＮｉ１０５を析出させ、キャビティ形成部２１，２２を備えたスペーサ１４ａ，１４ｂを電鋳により形成する（同図（ｅ））。レジスト１０４を除去し（同図（ｆ））、母型１０１，１０３を剥離すれば、キャビティ形成部２１（又は２２）を備えたスペーサ１４ａ（又は１４ｂ）が完成する（同図（ｇ））。
【０１２１】
〔マスク装置を用いた電子部品の製造〕
上記第一実施形態ならびに第二実施形態のマスク装置を使用してチップを製造する工程の一例を順に述べれば次のとおりである。
【０１２２】
（１）  集合基板の各チップ形成領域に所定の機能素子を形成し、ダイシング（切断）により個々のチップとした後、これらを洗浄・乾燥し、第一又は第二実施形態のマスク装置のキャビティ内に装填し、パターンマスクに対してチップを位置決めする。
（２）  マスク装置の上下両面から逆スパッタによって表面をクリーニングした後にスパッタ照射することにより、チップの上下両面側から成膜を行い、端子電極（下地電極）を形成した後、マスク装置からチップを取り出す。
【０１２３】
尚、この成膜工程では、両面からスパッタを行うことが、工程数の減少ならびに上下面および周面に掛けて連続した電極膜を形成できる点で好ましいが、一方の面（例えば上面）からスパッタを行った後に他方の面（例えば下面）からスパッタを行うというように２回に分けて成膜処理を行うようにしても良い（例えば片面側からしかスパッタを行うことが出来ない装置を使用する場合等）。尚、この場合にも逆スパッタによって表面をクリーニングした後にスパッタ照射することが望ましい。
【０１２４】
また、成膜溝２６，５６を通じスパッタ材料の回り込みを利用して形成されるチップ周面の電極部分は、パターンマスクの成膜開口１０，５０に対向配置されているチップ上下面の電極部分と比較して電極厚が薄くなる傾向にある。しかしながら、成膜厚（スパッタ時間・量）をチップ周面の電極部分が必要な厚さとなるように設定しておけば、問題なく電極を同時形成することが出来る。
【０１２５】
（３）  チップを洗浄し乾燥した後、端子電極の本体部分となる導体膜（例えばＣｕ膜）を上記下地電極からバレルめっきによりめっき成長させて形成する。
（４）当該導体膜の表面に、はんだ濡れ性を向上させるために同じくバレルめっきにより電極表面層（例えばＮｉ膜およびＳｎ膜）を形成する。
（５）最後に、チップ１を洗浄し乾燥することにより当該電子部品を完成する。
【０１２６】
本発明ないし上記実施形態による効果を纏めて述べれば、次のとおりである。
（１）  電極形成の工程数を削減することが出来るから、電子部品の生産性を向上させ、製造コストを低減することが出来る。
（２）  チップの複数の面に亘る電極を同時成膜による連続的な膜で形成することが出来るから、電極の内部抵抗を小さくして当該電子部品の電気特性を向上させることが出来ると共に、接合部の密着強度を安定させ強化することも可能となる。
（３）  チップをキャビティ内に容易に装填しパターンマスクに対して正確に位置決めすることができ、電極の形状・寸法精度を高めることが出来る。
（４）  配線と電極とを同時に形成することも可能となる。尚、前記実施形態では、１つの周面に対して１つの電極を形成しているが、パターンマスクの成膜開口とキャビティ形成部に備える成膜溝の数と形状を変えれば、端子電極の数や形状等を変更できることは明らかであり、例えば１つの周面に２つ以上電極を形成することも、あるいは各周面や天面、底面に異なる形状や数の電極を形成するようなことも可能である。
【図面の簡単な説明】
【０１２７】
【図１】本発明の第一の実施形態に係るマスク装置を使用して端子電極を形成したチップ（電子部品）を示す斜視図である。
【図２】前記第一実施形態に係るマスク装置の一部（貫通開口１つ分の部分／以降の図面において同様）を概念的に示す分解斜視図である。
【図３】前記第一実施形態のマスク装置が備える基準スペーサと片寄スペーサを拡大して示す斜視図である。
【図４Ａ】前記第一実施形態に係るマスク装置（キャビティへのチップ装填時の状態）を概念的に示す平面図である。
【図４Ｂ】図４ＡのＸ‐Ｘ断面図である。
【図４Ｃ】図４ＡのＹ‐Ｙ断面図である。
【図５Ａ】前記第一実施形態に係るマスク装置（成膜時の状態）を概念的に示す平面図である。
【図５Ｂ】図５ＡのＸ‐Ｘ断面図である。
【図５Ｃ】図５ＡのＹ‐Ｙ断面図である。
【図６Ａ】前記第一実施形態に係るマスク装置（キャビティへのチップ装填時の状態）を示す平面図である。
【図６Ｂ】前記第一実施形態に係るマスク装置（成膜時の状態）を示す平面図である。
【図７】本発明に係るマスク装置を使用して端子電極を形成した別のチップを示す斜視図である。
【図８】本発明の第二の実施形態に係るマスク装置を使用して端子電極を形成したチップを示す斜視図である。
【図９】前記第二実施形態に係るマスク装置を概念的に示す分解斜視図である。
【図１０Ａ】前記第二実施形態に係るマスク装置（キャビティへのチップ装填時の状態）を概念的に示す平面図である。
【図１０Ｂ】図１０ＡのＸ‐Ｘ断面図である。
【図１０Ｃ】図１０ＡのＹ‐Ｙ断面図である。
【図１１Ａ】前記第二実施形態に係るマスク装置（成膜時の状態）を概念的に示す平面図である。
【図１１Ｂ】図１１ＡのＸ‐Ｘ断面図である。
【図１１Ｃ】図１１ＡのＹ‐Ｙ断面図である。
【図１２】前記第二実施形態に係るマスク装置の変形例を示す断面図である。
【図１３】本発明に係るマスク装置を使用して端子電極を形成したさらに別のチップを示す斜視図である。
【図１４】（ａ）から（ｇ）は前記実施形態のマスク装置が備える基準スペーサおよび片寄スペーサの製造方法を概念的に順に示す工程図である。
【図１５】本発明に係る電子部品の一例を示す断面図である。
【図１６Ａ】本発明に基づくマスク装置を使用して外表面に電極を形成した電子部品の一例を示す斜視図である。
【図１６Ｂ】本発明に基づくマスク装置を使用して外表面に電極を形成した電子部品の別の一例を示す斜視図である。
【図１６Ｃ】本発明に基づくマスク装置を使用して外表面に電極を形成した電子部品の更に別の一例を示す斜視図である。
【符号の説明】
【０１２８】
１  電子部品（チップ）
１ａ  チップ天面
１ｂ  チップ底面
１ｃ，１ｄ  チップ側面（長手方向の側面）
１ｅ，１ｆ  チップ端面（短手方向の側面）
１Ａ  ベース基板（電子部品本体）
２Ａ，２Ｂ，３Ａ，３Ｂ  端子電極（下地電極）
４  配線
１０，５０  成膜開口
１１，５１  マスク装置
１２  マスク基体
１３，１３ａ，５３，５３ａ  パターンマスク
１４  位置決めスペーサ対
１４ａ  基準スペーサ
１４ｂ  片寄スペーサ
２０，３０，４０  貫通開口
２１，２２  キャビティ形成部
２３，２４  内側面（基準面）
２５  キャビティ
２６，５６  成膜溝
２７  切欠溝
２８  基準角部
３１  位置決めピン
３２  長孔
３３，３４  内側面
１０１  ステンレス板
１０２，１０４  レジスト
１０３  Ｃｕ膜
１０５  Ｎｉ
２０１  電極
２０１ａ，２０１ｂ  電極層
２０２ａ  チップ周面の電極部分
２０２ｂ，２０２ｃ  チップ上下面の電極部分
【図１】
2008112761.tif 000003
【図２】
2008112761.tif 000004
【図３】
2008112761.tif 000005
【図４Ａ】
2008112761.tif 000006
【図４Ｂ】
2008112761.tif 000007
【図４Ｃ】
2008112761.tif 000008
【図５Ａ】
2008112761.tif 000009
【図５Ｂ】
2008112761.tif 000010
【図５Ｃ】
2008112761.tif 000011
【図６Ａ】
2008112761.tif 000012
【図６Ｂ】
2008112761.tif 000013
【図７】
2008112761.tif 000014
【図８】
2008112761.tif 000015
【図９】
2008112761.tif 000016
【図１０Ａ】
2008112761.tif 000017
【図１０Ｂ】
2008112761.tif 000018
【図１０Ｃ】
2008112761.tif 000019
【図１１Ａ】
2008112761.tif 000020
【図１１Ｂ】
2008112761.tif 000021
【図１１Ｃ】
2008112761.tif 000022
【図１２】
2008112761.tif 000023
【図１３】
2008112761.tif 000024
【図１４】
2008112761.tif 000025
【図１５】
2008112761.tif 000026
【図１６Ａ】
2008112761.tif 000027
【図１６Ｂ】
2008112761.tif 000028
【図１６Ｃ】
2008112761.tif 000029